(57)【要約】【課題】多種多様な大きさや重量のダイセット上型を、安全に且つ軽作業で効率よく垂直に吊り上げ、反転をさせること。【解決手段】ダイセット上型に雌ネジ部を設け、雄ネジ部を有した主軸１０５を締め付け、主軸１０５に対して転動可能に設置されたベルト保持部１０３と、主軸１０５に固定されたベルト保持部支持板１０４と、ベルト保持部１０３が主軸から抜け落ちないための締結用ナット１０１と、締結用ナット１０１が緩まないためのロックナット１０２とを備え、クレーンとベルトを用いることにより、ダイセット上型を吊り上げ、転動可能なスリング保持部により主軸とダイセット上型が共に回転するので、安全且つ効率の良いワークの反転作業が可能となる。【選択図】図１
2009066607.tif 000002
【特許請求の範囲】
【請求項１】
雄ネジ部を有した主軸と、該主軸に対して転動可能に設置された線状体保持部と、締結ナットと、締結用ナット緩み防止用ロックナットと、線状体保持部支持板を備え、前記主軸と前記線状体保持部とに間隙を設け、前記線状体保持部と前記締結ナット及び前記線状体保持部支持板とに間隙を設けた事を特徴とするワーク反転治具。
【請求項２】
前記線状体保持部に、線条体に合わせた溝が形成された事を特徴とする請求項１に記載のワーク反転治具。
【請求項３】
前記線状体保持部と前記主軸との間隙にベアリングを設けた事を特徴とする請求項１または２に記載のワーク反転治具。
【請求項４】
請求項１から３の何れか一項に記載のワーク反転治具と、該反転治具を保持する線状体と、該線条体を介して連結された走行型移動装置を備えた事を特徴とする金型反転装置。
【請求項５】
雄ネジ部を有した主軸と、主軸に対して転動可能に設置された線状体保持部と、締結ナットと、締結用ナット緩み防止用ロックナットと、線状体保持部支持板を備えたワーク反転治具を二つ用い、
ワークの一側面と該側面と背中合わせの側面とに前記ワーク反転治具が取り付けられ、
前記ワーク反転治具が実質的に前記ワークの重心を通過する直線上に位置し、
二つの前記反転治具の前記線状体保持部に線状体を掛けて吊り上げる事を特徴とするワーク吊り上げ方法。
【発明の詳細な説明】
【技術分野】
【０００１】
本発明は、例えばプレスなどに使用する金型のように、一方の型部材を他方の型部材から分離しその一方を反転させることでメンテナンスを行い易くする等、二部材からなるワークを分離して反転させる治具、装置、吊り上げ方法に関するもので、さらに詳しくはワークの下面の点検、処置をも容易ならしめるように対処し得るものに関する。
【背景技術】
【０００２】
大型のダイセットでは重量が数トンに達し、その玉掛け作業は常に危険が伴う。プレス金型を交換するためにはまずダイセットの上型だけを吊り上げて上下を分割し、次に上型を反転しなければならない。ダイセットの場合には、ガイドポストが下向きまたは上向きに突出しているうえ、その嵌合面の中央付近はプレス金型によって占められているから、ガイドポストを立設する位置は少なくとも前後に対称となる中央から外れる場合が多く、吊り上げ時の重心は不安定であり、無理な反転作業には危険が伴う。
【０００３】
従来の技術であるプレスなどのダイセット反転装置は、ダイセットや金型をそのまま乗せるタイプのものや、クレーンを改造したり、装置を付属させたりするタイプのものなど、数多くある。
【０００４】
図４に示すダイセットや金型を直接のせるタイプのものは、コ字形フレーム１の開口部へ回転枠２を回動自在に係合し、該回転枠２の相対向する二辺の内側へ独立して水平移動できる幅寄せ枠２１Ａ、２１Ｂをそれぞれ内嵌し、該幅寄せ枠２１Ａ、２１Ｂの内側へダイセットの外辺に突出する複数個の吊り具が内嵌できる同数のアタッチメント２２を着脱自在に取り付けるとともに、前記フレーム１の開口部と逆方向の頂辺中央に吊り上げ用の係合材１１を突設している（例えば、特許文献１参照）。
【特許文献１】特開平５−２００４５５号公報
【発明の開示】
【発明が解決しようとする課題】
【０００５】
しかしながら、従来の技術である上記に示した反転装置は、大掛かりな装置であり、その装置自体の製作や購入、設置の為に広範囲に亘る作業スペースが必要不可欠となり、装置の導入だけでも莫大な時間と費用が掛かってしまうという課題を有している。また、ワークの大きさに比例して装置全体の大きさも必要となる課題を有していた。
【０００６】
本発明は、前記に示した従来の課題を解決するもので、クレーン等の吊り上げ装置により種々の大きさ、形態の重量物を吊り上げて反転できる、クレーン吊り上げ型反転治具を提供するもので、反転作業が安全に遂行できるようにすると共に、通常のクレーンをそのまま使用できるようにしてクレーンの汎用性を損なわず製作コストもかからないようにすることを目的とする。
【課題を解決するための手段】
【０００７】
前記従来の課題を解決するために、本発明のワーク反転治具は、雄ネジ部を有した主軸と、該主軸に対して転動可能に設置された線状体保持部と、締結ナットと、締結用ナット緩み防止用ロックナットと、線状体保持部支持板を備え、主軸と線状体保持部とに間隙を設け、線状体保持部と締結ナット及び線状体保持部支持板とに間隙を設けた事を特徴とする。主軸上で線状体が容易に転動可能と成るからである。
【０００８】
より好ましくは、線状体保持部に、線条体に合わせた溝が形成されれば良い。線状保持部に線状体を掛けた際に確実に線状体保持部が線状体を保持するからである。
【０００９】
より好ましくは、線状体保持部と主軸との間隙にベアリングを設ければ良い。主軸上で線状体が更に容易に転動可能と成るからである。
【００１０】
本発明の金型反転装置は、ワーク反転治具と、該反転治具を保持する線状体と、該線条体を介して連結された走行型移動装置を備えた事を特徴とする。
【００１１】
本発明のワーク吊り上げ方法は、雄ネジ部を有した主軸と、主軸に対して転動可能に設置された線状体保持部と、締結ナットと、締結用ナット緩み防止用ロックナットと、線状体保持部支持板を備えたワーク反転治具を二つ用い、ワークの一側面と該側面と背中合わせの側面とにワーク反転治具が取り付けられ、ワーク反転治具が実質的にワークの重心を通過する直線上に位置し、二つの反転治具の線状体保持部に線状体を掛けて吊り上げる事を特徴とする。ワークを回転静止状態で吊り上げられるからである。
【発明の効果】
【００１２】
以上のように、本発明のワーク反転治具、金型反転装置及びワーク吊り上げ方法によれば、通常のクレーンをそのまま使用できるのでクレーンの汎用性を損なわず製作コストもかからないままに、クレーンにより種々の大きさ、形態の重量物を吊り上げて反転させる事ができ、金型等のワーク反転作業を安全に、且つ効率よく遂行することができる。また、回転部が軸を中心に回転することにより、治具とベルトとの摩擦により主軸の回転を防ぐことができ、ネジの緩みや過剰な締め付けを防ぐことができる。
【発明を実施するための最良の形態】
【００１３】
以下本発明の実施の形態について、図面を参照しながら説明する。
【００１４】
図１は、本発明の実施の形態におけるワーク反転治具を示す斜視図及び断面図である。図１に示すように、締結用ナット１０１と、締結用ナット１０１が緩まないためのロックナット１０２は主軸１０５にダブルロックナット構造で締め付けられており、ベルト保持部１０３が主軸１０５から抜け落ちないためのストッパーの役目をしている。ベルト保持部支持板１０４は円盤状で、主軸１０５に例えば溶接等で固着されており、ベルト保持部１０３の落下を防いでいる。ベルト保持部１０３の内径と主軸１０５の外径は所定量の差があり、間隙が持たしてある。これは、重量物をベルトで吊り上げた際、ベルトはベルト保持部１０３の溝部によって保持されるので、ベルト保持部１０３及び主軸１０５に大きな重量負荷がかかっても、ベルト保持部１０３が主軸１０５を中心に容易に回転できるようにするためである。また、ベルト保持部１０３と締結用ナット１０１及びベルト保持部支持板１０４との間にも所定量の間隙が設けてある。これは、上記のベルト保持部１０３の主軸１０５を中心とした回転の際に、ベルト保持部１０３が締結用ナット１０１及びベルト保持部支持板１０４への干渉を防ぎ、破損などの不具合を避けるためである。主軸１０５のベルト保持部１０３に重なる範囲は、重量負荷がかかった場合にネジ山の破損やつぶれ等による不具合の発生を避け、安全のためにネジ山は成形されていない。主軸１０５のネジ部は、締結用ナット１０１、ロックナット１０２を取り付ける範囲及び主軸１０５をワークに取り付ける範囲のみである。
【００１５】
図２に、本発明の実施の形態でのワーク反転治具を用いて、上ダイセット２０２を吊りベルト２０１で吊り上げた金型反転装置の状態を示す。図２において、図１と同じ構成要素については同じ符号を用いてその説明を省略する。図２に示す通り、ワークを吊り上げる場合においてワーク反転治具は２個必要である。
【００１６】
ここで、ワーク反転治具１０６は、上ダイセット２０２の一側面と該側面と背中合わせの他方の側面とに取り付けられ、上ダイセット２０２をワーク反転治具１０６に掛けた吊りベルト２０１で吊り上げた際に上ダイセット２０２に回転モーメントが生じる事が無い様にバランスさせる位置、即ち上ダイセットの重心を通る一直線上に取り付けることが好ましい。
【００１７】
これにより、上ダイセット２０２を回転静止させた状態で吊り上げ、本発明の反転治具１０６の特徴である主軸１０５とベルト保持部１０３との間が摺動容易である事を活かして安全容易な軽作業で上ダイセット２０２を反転させてメンテナンスが可能なワーク吊り上げ方法と出来る。
【００１８】
図３に、本発明の実施の形態における金型反転装置の実施例を示す。図３（ａ）は実施例の上面図である。走行型クレーン３０２は走行用レール３０１を介して自由に走行移動することができる。これにより、走行用クレーン３０２が設置されている範囲であるなら、どこにおいても金型を吊り上げ、移動することができる。図３（ｂ）に実施例の正面図を示す。本発明の実施の形態でのワーク反転治具３０６を用いて、金型３０７を吊りベルト３０５、連結フック３０４、長さの調節が可能なチェーンブロック３０３を介して吊り上げ、走行用レール３０１、走行型クレーン３０２から成る走行型吊り上げ装置に連結している。これにより、任意の高さにおいて金型の反転を行うことができる。
【００１９】
以上の構成により、本発明のワーク反転治具を用いれば、種々の大きさ、形態の重量物を吊り上げて反転させる事ができ、ワーク反転作業を安全に、且つ効率よく遂行することができる。また、回転部が軸を中心に回転することにより、治具とベルトとの摩擦による主軸の回転を防ぐことができ、ネジの緩みや過剰な締め付けを防ぐことができる。
【００２０】
なお、本実施の形態において、ワークを吊り上げるための道具として吊りベルトを用いたが、ワイヤーやロープ等の線状体を、吊り上げるための道具として用いても良い。その場合、ベルト保持部１０３の溝幅は線状体の径に合わせて変更する必要があり、あわせてベルト保持部１０３の全長も変更する必要がある。また、ベルト保持部１０３の内部にベアリングなどの転がり軸受けを設置し、主軸１０５との摩擦を少なくして、更に容易に回転ができるような形態にしても良い。
【産業上の利用可能性】
【００２１】
重量物を吊り上げて反転作業する事に使用でき、特に金型等のメンテナンスに有効である。
【図面の簡単な説明】
【００２２】
【図１】本発明の実施の形態におけるワーク反転治具の斜視図および断面図
【図２】本発明の実施の形態におけるワーク反転治具を用いた例を示す図
【図３】本発明の実施の形態におけるワーク反転治具を用いた状態の模式図
【図４】従来の反転装置の斜視図
【符号の説明】
【００２３】
１  フレーム
２  回転枠
１１  係合材
２１Ａ、２１Ｂ  幅寄せ枠
２２  アタッチメント
２６  ハンドル
２９  スケール
３０  カウンターバランス
１０１  締結用ナット
１０２  ロックナット
１０３  ベルト保持部
１０４  ベルト保持部支持板
１０５  主軸
１０６、３０６  ワーク反転治具
２０１  吊りベルト
２０２  上ダイセット
２０３  下ダイセット
３０１  走行用レール
３０２  走行型クレーン
３０３  チェーンブロック
３０４  連結フック
３０５  吊りベルト
３０７  金型
【図１】
2009066607.tif 000003
【図２】
2009066607.tif 000004
【図３】
2009066607.tif 000005
【図４】
2009066607.tif 000006